(57)【要約】  本発明のレイアウトは、航空機の客室に設けられ、隣り合った少なくとも２つの座席列を備えている座席群を提示する。座席は、それぞれの座席列内で前後に配置される。さらに、各座席は簡易寝台に変換できて、かなり細長い寝台面を提供する。各座席は、簡易寝台に変換されたとき、第１の寝台部（１２）と、この第１の寝台部（１２）と比べて幅が狭い少なくとも１つの第２の寝台部（８）とを提供する。隣り合った２つの座席列では、座席群が互い違いに配置されて、１つの座席列の１つの座席の第１の寝台部（１２）が、第２の座席列の１つの座席の幅が狭い第２の寝台部（８）と向かい合っている。
2007524544.tif 000002
【特許請求の範囲】
【請求項１】
航空機の客室に設けられ、隣り合った少なくとも２つの座席列を備えていて、それぞれの座席列では座席が前後に配置され、それぞれの座席は簡易寝台に変換できて、かなり細長い寝台面を提供する構成にされた座席群であって、
それぞれの座席が、簡易寝台に変換されたとき、第１の寝台部と、この第１の寝台部と比べて幅が狭い少なくとも１つの第２の寝台部とを提供し、
隣り合った２つの座席列では、座席群が互い違いに配置されて、１つの座席列の１つの座席の第１の寝台部が、第２の座席列の１つの座席の幅が狭い第２の寝台部と向かい合っている、
ことを特徴とする航空機の座席群。
【請求項２】
それぞれの座席が、簡易寝台に変換されたとき、ほぼ直線状の縦方向縁部（６）を有する、ことを特徴とする請求項１に記載の航空機の座席群。
【請求項３】
少なくとも２つのタイプの座席を備えていて、第１のタイプの座席は、その座席を占める乗客の右側に位置する直線状縦方向縁部（６）を備え、第２のタイプの座席は、同じ状態でその座席を占める乗客の左側に位置する直線状縦方向縁部（６）を備える、ことを特徴とする請求項１２に記載の航空機の座席群。
【請求項４】
同じ座席列の座席がすべて同じタイプである、ことを特徴とする請求項３に記載の航空機の座席群。
【請求項５】
同じ座席列の座席が互いに離れていて、座席が簡易寝台に変換されたとき、座席間を隔てるスペースが約１０ｃｍ未満である、ことを特徴とする請求項１から４のいずれか１項に記載の航空機の座席群。
【請求項６】
同じ座席列の座席が互いに離れていて、座席が簡易寝台に変換されたとき、座席間を隔てるスペース（２４）によって乗客の通行が可能になる、ことを特徴とする請求項１から４のいずれか１項に記載の航空機の座席群。
【請求項７】
同じ座席列の座席が互いに離れていることと、荷物置き場がこの列の隣り合う２つの座席の間に配置されている、ことを特徴とする請求項１から４のいずれか１項に記載の航空機の座席群。
【請求項８】
２つの座席列を備える、ことを特徴とする請求項１から７のいずれか１項に記載の航空機の座席群。
【請求項９】
縦方向の通路（１８、２０；２８、３０、３２）によって境界が定められており、座席の直線状縦方向縁部（６）がその通路（１８、２０；２８、３０、３２）の側にある、ことを特徴とする請求項２と８に記載の航空機の座席群。
【請求項１０】
３つの座席列を備える、ことを特徴とする請求項１から７のいずれか１項に記載の航空機の座席群。
【請求項１１】
同じ座席列の座席が互いに離れていて、座席が簡易寝台に変換されたとき、座席間を隔てるスペース（２４）によって乗客の通行が可能になる、ことを特徴とする請求項１０に記載の航空機の座席群。
【請求項１２】
中央の列の座席間の空いたスペース（２４）を収納スペースとして利用することを特徴とする請求項１１に記載の航空機の座席群。
【請求項１３】
側部の各座席列の座席が互いに離れていて、座席が簡易寝台に変換されたとき、座席間を隔てるスペースによって乗客の通行が可能になることと、中央の座席列が、座席が簡易寝台に変換されたとき、側部の座席列の座席が簡易寝台に変換されたときよりも長さが長くなる、ことを特徴とする請求項１０に記載の航空機の座席群。
【請求項１４】
２つの通路（１８、２０；２８、３０、３２）によって縦方向の境界が定められている、ことを特徴とする請求項１０から１３のいずれか１項に記載の航空機の座席群。
【請求項１５】
側部の座席列が、対応する通路側にほぼ直線状の縦方向縁部（６）を有する、ことを特徴とする請求項１４に記載の航空機の座席群。
【請求項１６】
縦方向の対称軸を持つ、ことを特徴とする請求項１５に記載の航空機の座席群。
【請求項１７】
中央の座席列の座席が、一方の側部の座席列の座席に対して縦方向にずれているのに対し、他方の側部の座席列の座席とは揃っている、ことを特徴とする請求項１０から１５のいずれか１項に記載の航空機の座席群。
【請求項１８】
中央の座席列の座席が、側部の２つの座席列の座席に対して縦方向にずれているが、ずれ方が異なっている、ことを特徴とする請求項１０から１５のいずれか１項に記載の航空機の座席群。
【請求項１９】
４つの座席列を備える、ことを特徴とする請求項１から７のいずれか１項に記載の航空機の座席群。
【請求項２０】
請求項８または９に記載の２つの座席列からなる集合体を２つ用いて構成されている、ことを特徴とする請求項１９に記載の航空機の座席群。
【請求項２１】
同じ座席列の座席が互いに離れていて、座席が簡易寝台に変換されたとき、座席間を隔てるスペース（２４）によって乗客の通行が可能になる、ことを特徴とする請求項１９または２０に記載の航空機の座席群。
【請求項２２】
中央の座席列の間に残された空いたスペースを利用して荷物置き場を設置する、ことを特徴とする請求項２１に記載の航空機の座席群。
【請求項２３】
側部の各座席列の座席が互いに離れていて、座席が簡易寝台に変換されたとき、座席間を隔てるスペースによって乗客の通行が可能になり、中央の座席列が、座席が簡易寝台に変換されたとき、側部の座席列の座席が簡易寝台に変換されたときよりも長さが長くなる、ことを特徴とする請求項１９に記載の航空機の座席群。
【請求項２４】
中央の１つの座席列の座席が、中央の他方の座席列の座席と揃っているのに対し対応する側部の座席列の座席に対してずれている、ことを特徴とする請求項１９に記載の航空機の座席群。
【請求項２５】
請求項１から２４のいずれか１項に記載の座席群を備える、ことを特徴とする航空機。
【発明の詳細な説明】
【技術分野】
【０００１】
本発明は、航空機の客室の内部レイアウトに関する。
【背景技術】
【０００２】
本発明の分野は、乗客を輸送するための航空機の内部レイアウトであり、より詳細には、航空機メーカーが商業的に開発した航空機である。このような航空機では、それぞれの乗客は座席を１つ与えられるが、この座席が配置されている区画がどこであるかに応じ、座席の快適さにある程度差がある。例えばある種の航空機には、一般にエコノミー・クラス、ビジネス・クラス、ファースト・クラスと呼ばれる３つのクラスがある。
【０００３】
一般に、快適な、どのクラスでも、座席は、航空機の軸線（すなわち航空機の移動方向）に対して横方向に並べるとともに、縦方向の列にして配置されている。
【０００４】
航空会社は、自社が保有する航空機からの収益を大きくする上で、２つの気がかりな点がある。航空会社は、一方では、所定の空間（航空機の客室）でできるだけ多くの乗客を運ぶことを望み、他方では、空間の快適さに関して可能な最大のサービスを提供することで顧客を満足させ、自社を再び利用してもらうことを望む。そこで、利用可能なスペースを最大にできる航空機の客室レイアウトを提案しているいくつかの文献（例えば特許文献１と特許文献２）が存在している。
【０００５】
本発明は、より詳細には、乗客が横になった姿勢で旅をできるビジネス・クラスとファースト・クラスの区画に関する。特許文献３には、航空機の乗客のための個別モジュールが開示されている。このモジュールは、同様の他のモジュールと組み合わせることで、航空機の規格から要請される技術的制約を順守しつつ、航空機の客室内で利用できるスペースを最適な状態で占めることが可能になる。この特許文献の図面には、１つの客室内に多数の乗客を収容できるモジュールの組み合わせが示してある。しかし提案されているレイアウトでは、ある座席は航空機の移動方向を向いているが、他の座席は逆方向を向いている。
【０００６】
【特許文献１】ＷＯ  ０３／０５３７３５
【特許文献２】フランス国特許第２，８４３，７３０号
【特許文献３】ヨーロッパ特許第１，３６４，８７４号
【発明の開示】
【発明が解決しようとする課題】
【０００７】
そこで本発明は、所定の空間にできるだけ多くの乗客を配置でき、しかも乗客を収容するすべての座席が同じ方向を向いている航空機の客室レイアウトを提供することを目的とする。
【課題を解決するための手段】
【０００８】
その目的で本発明は、航空機の客室に設けられ、隣り合った少なくとも２つの座席列を備えていて、それぞれの座席列では座席が前後に配置され、それぞれの座席は簡易寝台に変換できて、かなり細長い寝台面を提供する構成にされた座席群を提案する。
【０００９】
本発明によれば、それぞれの座席は、簡易寝台に変換されたとき、第１の寝台部と、この第１の寝台部と比べて幅が狭い少なくとも１つの第２の寝台部とを提供し、隣り合った２つの座席列では、座席群が互い違いに配置されて、１つの座席列の１つの座席の第１の寝台部が、第２の座席列の１つの座席の幅が狭い第２の寝台部と向かい合っている。
【００１０】
互い違いになったこの座席配置と、簡易寝台に変換すると幅が一定でなくなる座席を組み合わせると、乗客の快適さを低下させることなく、所定の空間により多くの座席を収容することができる。簡易寝台に変換した座席で幅が最大になっている部分には乗客の胴部が載るのに対し、簡易寝台で幅が最少の部分には乗客の特に頭と脚部が載ることが好ましい。寝台面は必ずしも平坦ではない。ここで問題にしている座席は、“最も傾いた”状態でもほぼ水平な寝台面を形成しない傾斜可能な座席にすることができる。
【００１１】
好ましい一実施態様では、それぞれの座席は、簡易寝台に変換されたとき、ほぼ直線状の縦方向縁部を持つようにされている。したがってこのような座席は、通路に沿って、または客室の壁部に沿って、列にして配置することができる。この実施態様では、本発明による航空機の座席群は、例えば、少なくとも２つのタイプの座席を備えていて、第１のタイプの座席は、その座席を占める乗客の右側に位置する直線状縦方向縁部を備え、第２のタイプの座席は、同じ状態でその座席を占める乗客の左側に位置する直線状縦方向縁部を備えている。同じ座席列の座席は、例えばすべて同じタイプにすることができる。
【００１２】
第１の実施態様では、同じ座席列の座席は互いに離れていて、座席が簡易寝台に変換されたとき、座席間を隔てるスペースは約１０ｃｍ未満である。そのため客室内の場所の損失が最少になり、所定の空間内により多くの座席が収容される。
【００１３】
別の一実施態様では、同じ座席列の座席は互いに離れていて、座席が簡易寝台に変換されたとき、座席間を隔てるスペースによって乗客の通行が可能になる。この構成は、本発明による座席群が客室の壁部に接して存在するときに特に利用できる。通路が設けられているため、壁部に近い座席にいる乗客は、他方の座席列の座席にいる乗客をわずらわせることなく、客室の壁部に沿って存在する座席列の自分の座席に行くことができる。
【００１４】
同じ列の座席が互いに離れている場合には、荷物置き場をこの列の隣り合う２つの座席の間に配置することができる。それが当てはまるのは、ここでは、例えば客室の壁部に沿って存在する座席列である。
【００１５】
本発明による航空機の座席群は、例えば２つの座席列を備えている。
この場合、座席が直線状縦方向縁部を有するならば、その座席群は例えば縦方向の通路によって境界が定められており、座席の直線状縦方向縁部がその通路の側に来る。
【００１６】
本発明による航空機の座席群は、３つの座席列を備えることもできる。
この場合、同じ座席列の座席は互いに離れていて、座席が簡易寝台に変換されたとき、座席間を隔てるスペースによって乗客の通行が可能になることが望ましい。このようにすると、側部の座席列の乗客をわずらわせることなく、中央の座席列に行くことができる。この実施態様では、中央の列の座席間の空いたスペースは乗客の通行には役立たないため、そのスペースを収納スペースとして利用することが望ましい。
【００１７】
３つの座席列からなる集合体では、例えば側部の各座席列の座席は互いに離れていて、座席が簡易寝台に変換されたとき、座席間を隔てるスペースによって乗客の通行が可能になり、中央の座席列は、座席が簡易寝台に変換されたとき、側部の座席列の座席が簡易寝台に変換されたときよりも長さが長くなる。したがってより長いこのような座席は、体格の大きな乗客に提供することができる。
【００１８】
航空機の３つの座席列からなる集合体は、２つの通路によって縦方向の境界が定められていて、この集合体のどの座席にも容易に行けることが好ましい。そのため側部の座席列は、対応する通路側にほぼ直線状の縦方向縁部を有することが望ましい。このような集合体は、縦方向の対称軸を持つことができる。
【００１９】
本発明による航空機の３つの座席列からなる集合体では、中央の座席列の座席は、一方の側部の座席列の座席に対して縦方向にずれているのに対し、他方の側部の座席列の座席とは揃っている。中央の座席列の座席が側部の２つの座席列の座席に対して縦方向にずれているが、ずれ方が異なっているようにすることも可能である。
【００２０】
本発明では、４つの座席列を備える航空機の座席群も提案する。
このような集合体は、例えば、上記のような２つの座席列からなる集合体を２つ用いて構成する。
【００２１】
４つの座席列からなる集合体の同じ座席列の座席が互いに離れていて、座席が簡易寝台に変換されたとき、座席間を隔てるスペースによって乗客の通行が可能になることが好ましい。このようにすると、すでに座っている乗客をわずらわせることなく、この集合体のどの座席にも行くことができる。この構成では、中央の列の座席間の空いたスペースは乗客の通行には役立たないため、そのスペースを荷物置き場に利用できる。
【００２２】
４つの座席列からなる集合体の別の一実施態様では、側部の各座席列の座席が互いに離れていて、座席が簡易寝台に変換されたとき、座席間を隔てるスペースによって乗客の通行が可能になり、中央の座席列は、座席が簡易寝台に変換されたとき、側部の座席列の座席が簡易寝台に変換されたときよりも長さが長くなる。したがって中央の座席列の座席には、体格の大きな乗客を受け入れることができる。
【００２３】
４つの座席列を有する構成では、中央の１つの座席列の座席が、中央の他方の座席列の座席と揃っているが、対応する側部の座席列の座席に対してはずれているようにすることもできる。
【００２４】
本発明は、上に説明したような座席群を備える航空機にも関する。
【００２５】
本発明の詳細および利点は、添付の概略図を参照した以下の説明からよりよく理解されよう。
【発明を実施するための最良の形態】
【００２６】
図面中の人物は航空機の客室の区画を表わしており、各区画には変形可能な座席が配置されている。したがってこのような１つの区画を占める一人の乗客は、座った状態で旅をすることも、横になるかほぼ横になった状態で旅をすることもできる。
【００２７】
図面に示した各座席は、（平坦な、またはほぼ平坦な）簡易寝台に変換したときに上から見ると、人体の形状に合った輪郭を有する。簡易寝台で乗客の胴体を載せることになる部分は幅が広くなっているのに対し、乗客の脚部と頭を載せることになる部分は幅がより狭くなっている。図示してはいないが、特許文献３に開示されているようなモジュールをここで使用することも十分に考えられる。
【００２８】
添付の図面では、各座席は、簡易寝台に変換したとき、（対称性は別にして）輪郭が同じ形状になる。この輪郭（図１）は、まず最初に、横方向の直線的な２つの端部を有する。第１の端部２は、簡易寝台で乗客の足を載せることになる側にあるのに対し、他方の横方向の端部４は、簡易寝台で乗客の頭を載せることになる側にある。横方向のこれら２つの端部は、直線で示してある。しかしここでは他の形状にすることも考えられる。例えば角が丸くなった形状、完全に丸い形状、楕円形の形状などである。
【００２９】
横方向の端部２、４は、縦方向の縁部によって互いに接続されている。第１の縦方向の縁部は直線であり、横方向の端部２、４に対して垂直に延びている。この直線状の縦方向縁部を以下の説明では直線状縁部６と呼ぶ。
【００３０】
他方の縦方向縁部は、折れ線の形状である。この折れ線は、まず最初に横方向の端部２から出発し、直線状縁部６とほぼ平行な第１の部分８を形成しながら横方向の端部４に向かって延びている。したがって簡易寝台の幅が狭い部分が得られる。第２の縦方向縁部を形成する折れ線の第２の部分１０は、簡易寝台の幅が広がった部分を実現している。簡易寝台の対応部には、例えば乗客の大腿部と腰を載せる。
【００３１】
この縦方向縁部の折れ線の第３の部分１２は、再び直線状縁部６と平行になる。この部分は、例えば簡易寝台で乗客の上半身を載せることになる部分に対応する。
【００３２】
最後に、第２の縦方向縁部を形成する折れ線の最後となる第４の部分１４は、簡易寝台の幅が狭くなった部分を実現している。この最後となる第４の部分１４に対応する簡易寝台の部分には、乗客の特に頭を載せることになる。
【００３３】
図面中のいろいろな人物を見ると、２種類の座席があることがわかる。第１のタイプの座席は、乗客が簡易寝台に仰向けになって身体を延ばすとき、頭が航空機の後部を向き、直線状縁部６が右側に来る。別のタイプの座席では、同じ状態で、対応する簡易寝台の直線状縁部６が乗客の左側に来る。
【００３４】
図１には、５列の座席が示してある。この段落と以下の説明では、座席列とは、航空機の縦方向に沿って互いに前後に配置された座席群を意味する。
第１の座席列は、客室の左側壁部１６と第１の通路１８の間に配置されている。この列では、座席は、簡易寝台の状態になったときに前方横方向縁部２が隣の座席の横方向縁部４と接触するか、ほぼ接触するように互いに前後に配置されている。したがって同じ列内で簡易寝台に変換した隣り合う２つの座席の間に残されるスペースは最少である。この座席列ではすべての座席が同じタイプであり、座席の直線状縁部６は常に客室の左側の壁部１６に沿っている。
【００３５】
図示した客室のほぼ中央には２つの列の集合体がある。この集合体は、通路１８と第２の通路２０の間に配置されている。それぞれの列には常に同じタイプの座席が見られる。通路１８の側に位置する座席列では、直線状縁部６が、航空機の移動方向に向かって旅をする乗客の左側にあるのに対し、通路２０の側に位置する第２の列では、直線状縁部６が、航空機の移動方向に向かって旅をする乗客の右側に位置する。
【００３６】
図面から、２列からなるこの集合体の乗客は互い違いに配置されていることがわかる。実際、これらの列の座席は、横方向に並んだ座席、すなわち列に対して垂直な座席を実現するようには配置されていない。実際、これら２つの列は縦方向に互いにずれていて、それぞれの列では、座席を前後に配置するにあたって、簡易寝台に変換したときに隣り合う２つの座席間のスペースが最少になるようにしてある。このずれは、１つの列の簡易寝台で幅が最も広くて第３の部分１２に対応する部分が、隣の列の簡易寝台で幅が最も狭い部分にほぼ位置するように選択する。したがって２列からなるこの集合体の中央では、１つの列の座席で幅が最も広い部分が、隣の列で簡易寝台にした座席では第１の部分８に対応する位置にある。
【００３７】
最後の２つの座席列は、通路２０と客室の右側壁部２２の間に配置されている。この集合体の座席列は、簡易寝台にした隣り合う２つの座席の間に空いたスペース２４が残されている点が上に説明した列と異なっている。この空いたスペース２４は、一人の乗客が通行するのに十分である。このように、通路２０に隣接する列では、客室の右側壁部２２に沿った位置の座席に行けるようにする通路が設けられている。したがって客室の右側の壁部２２に沿った座席の乗客は、通路２０に接する列の座席にいる人をわずらわせることなく、自分の座席に行くことができる。
【００３８】
空いたスペース２４のあるこれら２つの列でも、隣り合った２つの列に関して上に説明したずれと同様のずれが見られる。実際、図面からわかるように、１つの列の端部に位置する座席を除き、座席で幅が最も広くて第３の部分１２に対応する部分は、幅が最も狭い部分（ここでは第１の部分８に対応する部分）に位置する。
【００３９】
異なる列の間にずれがあることを考慮すると、スペース２６は座席が存在しない状態で残される。このスペースを利用して整理置き場を設けることができる。
【００４０】
図２には、座席列を７つ備える航空機の客室が図示してある。この構成では、参照番号２８、３０、３２で示した３つの通路が存在している。この場合にも、客室の左側壁部１６と右側壁部２２がある。客室の左側の壁部１６に沿った座席列は、図１の客室の左側壁部１６に沿った座席列と同じである。同様に、通路２８と通路３０の間にある２つの座席列の集合体と、通路３０と通路３２の間にある２つの座席列の集合体は、それぞれ、図１の通路１８と通路２０の間にある２つの座席列の集合体と同じである。客室の右側壁部２２に沿った座席列も、やはり図１の客室の左側壁部１６に沿った座席列と同じである。
【００４１】
この図２からは、航空機の前方にあって客室の壁部１６、２２に沿った座席に関しては、座席が互いに前後に完全には揃っておらず、列の形状が客室の対応する壁部の形状に合わせてあることがわかる。ここでは座席の形状がこのようになっているため、客室の壁部の形状にうまく合わせることができる。
【００４２】
図３は、図２のレイアウトをわずかに変えた実施態様であり、同じ空間により多くの座席を配置することができる。
【００４３】
最後の図４には、やはり３つの通路２８、３０、３２が見られる。２つの通路の間にそれぞれ位置する２つの座席列からなる集合体は、図２と図３の２つの通路の間に配置されている２つの座席列からなる集合体と同じである。ここでは、客室のどちらの壁部側にも２つの座席列からなる集合体が存在しており、座席は同じ座席列内で互いに離れた状態になっている。
【００４４】
図示したのとは別の構成も考えられる。例えば幅がより狭い客室では、４つの座席列を設け、通路を中央の１つだけにすることができる。すると図４と同様の配置になるが、存在するのは中央の４つの座席列である。
【００４５】
３つまたは４つの座席列からなる集合体を設けることもできる。例えば図４の配置において、中央の通路３０を省略し、その中央の通路３０の両側にある２つの座席列からなる集合体を２つ合体させることが可能である。この構成は、４つの座席列からなる集合体の中央の列の簡易寝台にいる乗客が自分の座席に行ったり自分の座席から離れたりしようとすると、隣りの人をわずらわせねばならないという欠点を有する。この欠点を回避するには、図４で例えば客室の壁部１６と２２の側にある座席列に関して示してあるように、座席間に通路を設けるだけでよい。
【００４６】
４つの座席列からなるこの集合体では、それぞれの列に（直線状縁部６が右側または左側にある）同じタイプの座席があり、座席のタイプが列ごとに交替している。４つの座席列からなるこの集合体では、中央の２つの列を除き、隣り合う２つの座席列はやはり互いに縦方向にずれている。中央の２つの列に関しては、ずれなしにすることもできるし、他の２つの列の間に存在するのと同じずれを設けることもできるし、異なったずれ方にすることさえできる。
【００４７】
すでに指摘したように、本発明の範囲内で３つの座席列からなる集合体を設けることも可能である。中央の座席列に容易にアクセスできるようにするため、図１から図４に示したスペース２４のようなスペースを、同じ座席列の隣り合う２つの座席ごとに設けることが好ましい。ここでは、それぞれの座席列の座席のタイプを１つだけにし、座席のタイプを列ごとに交替させることも望ましい。このような構成では、座席列が３つあるため、隣り合う２つの列の２つの座席を互いに縦方向にずらすことが可能だが、座席の直線状ではない縦方向縁部で隣り合う座席列はずらし、２つの直線状縁部で隣り合う座席列はずらさない（あるいは同じずれにする、あるいは異なるずれにする）ことも可能である。
【００４８】
３つの座席列からなる集合体では、中央の列に関して第３のタイプの座席を設けると望ましかろう。それは、縦方向の軸線に対して対称な形状の座席である。このような座席のそれぞれの縦方向縁部は、図１を参照して上に説明したような形状を持つことになろう。この第３のタイプの座席を用いると、３つの座席列からなる集合体の幅を最適化すること、すなわち３つの列の全幅をできるだけ狭くしつつ、これらの座席で旅をする乗客に最大の快適さを提供することができる。この場合、同じ列内の座席間に設けた上記のスペースは、中央の列の座席間に空いたままに残されるスペースに関しては乗客の通行に利用されないことがわかる。そのため中央の列の座席では簡易寝台の寝台面をより長くすることができる。このような座席−簡易寝台は、体格の大きな乗客用に確保することになろう。この中央の列の座席間にある空いたスペースを荷物の収容に用いることもできる。客室内部のレイアウトをどのようにするかによるが、荷物整理のスペースを十分に設けるならば、上方に位置するあらゆる荷物棚を省略することが可能になる。
【００４９】
３つの座席列からなる集合体の中央に位置する列の２つの座席−簡易寝台間にある空いたスペースの利用に関する上記の指摘（寝台面をより長くすること、または収納スペースを設けること）は、上に説明した４つの座席列からなる集合体の中央に位置する列にも適用することができる。
【００５０】
上に説明した実施態様により、別の座席にいる乗客の邪魔をすることなく、どの座席にも行くことができる。
【００５１】
座席の形状は、簡易寝台に変換したとき、もちろん上記の形状とは異なっていてもよい。例えば特許文献３に開示されているような座席モジュールを利用することもできる。この特許文献の図５Ａ（要約に掲載されている図面でもある）を参照すると、この図面に示してあるようなモジュールが考えられる。要約に掲載されている図面のこのモジュールは、直線状縁部（２６）を有する。この直線状縁部（２６）は、図示してあるモジュールを占める乗客の左側に位置している。このモジュールは、内部にいる乗客にとって右側に直線状縁部（２６）が位置する同様の別のモジュールと協働する。するとこれら２つのモジュールは隣り合わせになり、一方のモジュールの第１の区画（２８）が他方のモジュールの第２の区画（３０）と協働する。すると図１から図４に示したのと同様の構成が再現される。
【００５２】
本発明が、具体例として上に説明したさまざまな実施態様に限定されることはない。本発明は、添付の請求項の範囲で当業者が考えつくあらゆる実施態様にも関する。
【００５３】
したがって本発明は、座席列を５つ、または７つ、または８つ収容できる航空機の客室には限定されない。本発明はあらゆる幅の客室に合わせることができるため、３つ以上の座席列を配置できる客室には本発明を適用することが考えられる。
【図面の簡単な説明】
【００５４】
【図１】座席が５列ある航空機の客室の一部を上から見た概略図である。
【図２】座席が７列ある客室に関する図１と同様の図である。
【図３】図２に示した客室レイアウトの変形例である。
【図４】座席が８列ある航空機の客室の一部を上から見た概略図である。
【図１】
2007524544.tif 000003
【図２】
2007524544.tif 000004
【図３】
2007524544.tif 000005
【図４】
2007524544.tif 000006
【国際調査報告】
2007524544.tif 000007
2007524544.tif 000008
2007524544.tif 000009
2007524544.tif 000010
2007524544.tif 000011
2007524544.tif 000012
2007524544.tif 000013
2007524544.tif 000014